(57)【要約】【課題】ナットに対する座金の係止保持及び回転が安定し、かつ、ねじ軸挿通孔の内側まで延びる舌片などを有する座金でもナットに組み込むことが可能な座金組込みナットを提供する。【解決手段】ナット１１の座面３にねじ孔１２と同心状に突設した円筒部１４に外拡がりの裾部１７が設けられ、一方、座金１５のねじ軸挿通孔１６の周縁に中心に向けて延びる複数の係止爪１８が放射状に設けられ、係止爪１８の爪先端径Ａは円筒部の外径ｄより大きく、裾部の外径Ｄより小さい寸法に設定されていて、係止爪１８を曲げ起こして裾部１７の外径Ｄより大きい爪先端径Ｂになった状態で座金１５を円筒部１４に嵌め合わせ、係止爪１８を元の水平姿勢に押し戻すことにより裾部１７に係止保持させて、座金１５がナット１１に回転自在に組み付けられている。【選択図】        図１
2004308862.tif 000002
【特許請求の範囲】
【請求項１】
ナットの座面にねじ孔と同心状に突設した円筒部に外拡がりの裾部が設けられ、
一方、座金のねじ軸挿通孔の周縁に中心に向けて延びる複数の係止爪が放射状に設けられ、前記係止爪の爪先端径Ａは前記円筒部の外径ｄより大きく、前記裾部の外径Ｄより小さい寸法に設定されていて、
前記係止爪を曲げ起こして前記裾部の外径Ｄより大きい爪先端径Ｂになった状態で前記座金を前記円筒部に嵌め合わせ、前記係止爪を元の水平姿勢に押し戻すことにより前記裾部に係止保持させて、前記座金が前記ナットに回転自在に組み付けられていることを特徴とする座金組込みナット。
【請求項２】
前記座金が、前記ねじ軸挿通孔まで延びる舌片を有している請求項１記載の座金組込みナット。
【発明の詳細な説明】
【０００１】
【発明の属する技術分野】
本発明は、ナットに座金を回転自在に組み込んだ座金組込みナットに関するものである。
【０００２】
【従来の技術】
従来の最も代表的な座金組込みナットは、図８（ａ）に示すように、ナット１の座面３にねじ孔２と同心状に短い円筒部４を突設し、該円筒部４より僅かに大きい孔径のねじ軸挿通孔６を有する座金５を嵌め合わせた後、図８（ｂ）に示すように、円筒部４の開口端部をかしめ工具８によりかしめて外拡がりの裾部７を形成し、該裾部７により座金５を係止保持させてナット１に座金５を組み込み、かつ、かしめ工具８によるかしめ度合を加減することによって、ナット１に対して座金５を回転自在に保っている。
【０００３】
【発明が解決しようとする課題】
しかし、上記従来の座金組込みナットは、円筒部４の高さのばらつきやかしめ工具８によるかしめ変形のばらつきによって、外拡がりの裾部７の形状、寸法が一定せず、ナット１に対する座金５の係止保持及び回転が不安定になるという問題があった。のみならず、座金５にそのねじ軸挿通孔６の内側まで延びる舌片などの突出物があると、かしめ工具８により円筒部４をかしめることが不可能となり、このような座金をナットに組み込むことができなかった。
【０００４】
本発明は、上記問題点に鑑みてなされたもので、ナットに対する座金の係止保持及び回転が安定し、かつ、ねじ軸挿通孔の内側まで延びる舌片などを有する座金でもナットに組み付けることが可能な座金組込みナットを提供することを目的とする。
【０００５】
【課題を解決するための手段】
上記目的を達成するために、本発明の座金組込みナットは、ナットの座面にねじ孔と同心状に突設した円筒部に外拡がりの裾部が設けられ、一方、座金のねじ軸挿通孔の周縁に中心に向けて延びる複数の係止爪が放射状に設けられ、前記係止爪の爪先端径Ａは前記円筒部の外径ｄより大きく、前記裾部の外径Ｄより小さい寸法に設定されていて、前記係止爪を曲げ起こして前記裾部の外径Ｄより大きい爪先端径Ｂになった状態で前記座金を前記円筒部に嵌め合わせ、前記係止爪を元の水平姿勢に押し戻すことにより前記裾部に係止保持させて、前記座金が前記ナットに回転自在に組み付けられていることを特徴とする。
【０００６】
上記構成において、ナットの前記円筒部に設ける外拡がりの前記裾部は、切削又はプレス加工により安定した寸法精度で加工することができる。また、前記円筒部に嵌め合わせた前記座金の係止爪を元の水平姿勢に戻す加圧力は、従来のかしめ圧力に比べて極めて小さいので、座金の組込み作業が容易に行なえる。
【０００７】
【発明の実施の形態】
以下、本発明の好適な実施の形態を図面に基づいて説明する。
【０００８】
図１及び図２は、本発明による座金組込みナットを示しており、ナット１１と、該ナット１１に回転自在に組み付けた座金１５とで構成されている。
【０００９】
ナット１１は、図３に示すように、座面１３にねじ孔１２と同心状に突設した円筒部１４の開口端に外拡がりの裾部１７が環状に形成されている。該裾部１７は、図３（ａ）のように成形金型９によるプレス加工又は図３（ｂ）のように切削加工により、外径の寸法精度を安定させて加工することが可能であり、円筒部１４の外径ｄと外拡がりの裾部１７の外径Ｄは所定寸法に仕上げられている。
【００１０】
座金１５は、図４に示すように、金属薄板を打抜き加工して製作され、中央部位にナット１１の外拡がり裾部１７の外径Ｄより径大のねじ軸挿通孔１６が設けられ、該挿通孔１６の周縁に中心に向けて延びる複数（図示の例では５つ）の係止爪１８が放射状に突設されており、これらの係止爪１８の先端縁１８ａにより形成される輪郭円（仮想円）の直径（爪先端径という）Ａが円筒部１４の外径ｄより大きく、裾部１７の外径Ｄより小さい寸法に設定されている。また、座金１５には、裏側に屈曲して中心に向け挿通孔１６の内側まで延びる舌片１９が打ち抜き加工されていると共に、外周部に下方へ屈曲して延びる環状突縁２０が形成されている。舌片１９と環状突縁２０は、後述する用途に適合させるために設けられるもので、本発明に係る座金はこのような特殊な座金だけではなく、一般的な平座金、皿ばね座金であってもよい。
【００１１】
次に、上記のように製作された座金１５は、図５に示すように、各係止爪１８をナット１１の座面１３側へ曲げ起こして、その爪先端径Ｂがナット１１の外拡がり裾縁１７の外径Ｄよりも大きくなるように予備加工する。このように予備加工された座金１５の挿通孔１６をナット１１の円筒部１４に嵌め合わせた後、係止爪１８を座面１３に沿うように元の水平姿勢に押し戻すと、爪先端径Ａに戻るので、各係止爪１８の先端縁１８ａが環状の裾部１７に係止保持され、図１及び図２に示すように、座金１５がナット１１に回転自在に組み付けられ、座金組込みナットが完成する。
【００１２】
図６及び図７は、上記した本発明による座金組込みナットの使用例を示している。歯車２２を嵌着した軸２１の軸端ねじ部２３に座金１５の舌片１９を係合するキー溝２４が設けられていて、軸端ねじ部２３にナット１１をねじ嵌合する際に、座金１５の舌片１９をキー溝２４に係合させる。ナット１１を軸端ねじ部２３にねじ嵌合してねじ込むと、ナット１１に組み付けた座金１５は舌片１９がキー溝２４に沿って案内移動され非回転状態で軸２１側へ移動する。そして、座金１５の環状突縁２０が歯車２２の側面に当接した位置でナット１１を締付け固定するものである。
【００１３】
【発明の効果】
以上説明したように、本発明による座金組込みナットは、ナットに対する座金の係止保持及び回転が安定し、しかも組付け時に、前記座金に設けられた前記係止爪を元の水平姿勢に押し戻す加圧力が従来のかしめ圧力に比べて極めて小さいので、座金の組込み作業が容易に行なえる。
【００１４】
また、ねじ軸挿通孔の内側まで延びる舌片などを有する特殊形状の座金でもナットに組み込むことができる。
【図面の簡単な説明】
【図１】本発明による座金組込みナットの中央縦断正面図である。
【図２】同上座金組込みナットの底面図である。
【図３】同上ナット単体の縦断正面図で、（ａ）はプレス加工した例を示し、（ｂ）は切削加工した例を示している。
【図４】同上座金単体を示し、（ａ）は縦断正面図、（ｂ）は底面図である。
【図５】同上予備加工した座金単体を示し、（ａ）は縦断正面図、（ｂ）は底面図である。
【図６】本発明による座金組込みナットの使用例を示す要部縦断正面図である。
【図７】同上平面図である。
【図８】従来の座金組込みナットを示し、（ａ）は組込み前のナットと座金の縦断正面図、（ｂ）は組込み状態を示す縦断正面図である。
【符号の説明】
１１  ナット
１２  ねじ孔
１３  座面
１４  円筒部
１５  座金
１６  ねじ軸挿通孔
１７  裾部
１８  係止爪
１８ａ  先端縁
１９  舌片
２０  環状突縁
Ａ  係止爪１８の爪先端径
Ｂ  裾部１７の外径Ｄより大きくなった爪先端径
【図１】
2004308862.tif 000003
【図２】
2004308862.tif 000004
【図３】
2004308862.tif 000005
【図４】
2004308862.tif 000006
【図５】
2004308862.tif 000007
【図６】
2004308862.tif 000008
【図７】
2004308862.tif 000009
【図８】
2004308862.tif 000010